(57)【特許請求の範囲】
【請求項１】
スライド部と、アーム部と、第１弾性体と、第２弾性体とを含む開閉装置であって、
前記スライド部は、往復直線移動が可能であり、
前記アーム部は、一端が前記スライド部に取り付けられ、他端が前記スライド部の往復直線移動に応じて昇降する作用端となっており、
前記第１弾性体と、前記第２弾性体とは、前記スライド部の往復直線移動でみた両側に配置されている、
開閉装置。
【請求項２】
請求項１に記載された開閉装置であって、さらにダンパ部を含み、
前記ダンパ部は、ピストンロッドを有しており、
前記スライド部は、移動方向の一方側に前記ピストンロッドの移動端が取り付けられており、
前記第１弾性体は、前記ピストンロッドに取り付けられている、
開閉装置。
【請求項３】
請求項１又は２に記載された開閉装置であって、さらにガイドロッドを含み、
前記ガイドロッドは、前記スライド部の移動方向の他方側に取り付けられており、
前記スライド部は、前記ガイドロッドに沿って往復直線移動が可能であり、
前記第２弾性体は、前記ガイドロッドに取り付けられている、
開閉装置。
【請求項４】
請求項１乃至３の何れかに記載された開閉装置であって、跳ね上げ式の蓋体を有する展示ケースに用いられる、
開閉装置。
【請求項５】
ケース本体と、蓋体と、開閉装置とを含む展示ケースであって、
前記ケース本体は、展示面を有しており、
前記蓋体は、前記展示面を開閉可能に覆っており、
前記開閉装置は、請求項１乃至４の何れかに記載されたものでなり、
前記スライド部は、前記ケース本体に取り付けられており、
前記アーム部は、前記作用端が前記蓋体に取り付けられ、前記スライド部の往復直線移動に応じて前記蓋体を開閉させる、
展示ケース。
【発明の詳細な説明】
【技術分野】
【０００１】
本発明は、開閉装置、及び、展示ケースに関する。
【背景技術】
【０００２】
従来、美術館や博物館などで展示品を収容する展示ケースや、小売店などで商品を収納する展示ケースとして、種々の構造のものが提案され、実用に供されている。一例として、この種の展示ケースについて、特許文献１、２に記載されたものが知られている。
【０００３】
特許文献１に記載された展示ケースは、ケース本体と、蓋体と、止め具と、付勢装置とを含む。蓋体は、ヒンジを介してケース本体に開閉自在に設けられる。止め具は蓋体が閉まった状態を保持し、付勢装置は蓋体を常時上方へ付勢する。ケース本体は、中空材で構成された枠体でなり、枠体内に止め具、及び、付勢装置が収容される。
【０００４】
他方、特許文献２に記載された展示ケースは、ケース本体と、蓋体と、支持体と、付勢装置とを含む。ケース本体は、上方に収容空間を有している。蓋体は、前記収容空間を上方から塞ぎ、その後端部を中心にして跳ね上げ回動し得るように、ケース本体に配置されている。支持体は、前記ケース本体のうち収容空間を挟んだ左右両側の部位に設けられ、蓋体を回動可能に支持することにより、蓋体を収容空間の上方および下方に移動させる。付勢装置は、収容空間よりも下方の部位に設けられ、支持体に対して上向きに付勢することにより蓋体の開動作を補助する。
【０００５】
ところで、この種の展示ケースは、盗難や損壊を防止するとともに、温度変化や湿度変化から展示品を守るため、蓋体を厚みのあるガラス材で構成し、収容空間を密閉することが行われる。このように蓋体を厚みのあるガラス材で構成した場合、蓋体が重量化する傾向にあり、その開動作を円滑に行えない不具合が生じる。
【０００６】
上述した不具合を解消するため、特許文献１に開示されている展示ケースは、付勢装置を有するものである。この構成によると、蓋体が閉まった状態で止め具を解錠したとき、付勢装置の付勢に従って、蓋体が上方へ持ち上げられるから、その開動作を円滑に行うことができる。同様の付勢装置は、特許文献２にも開示されている。
【０００７】
しかし、特許文献１、２に開示されている付勢装置では、以下の点で新たな問題が生じる。すなわち、通常、この種の蓋体は、ヒンジの開放角度に応じた開き終わり位置を有しているところ、特許文献１、２に開示されている付勢装置は、蓋体の開き始め動作を補助するための機構であって、同開動作の開き終わりには何ら配慮されていない。その結果、蓋体が開き終わり位置まで移動したとき、前記付勢装置の付勢力、及び、開動作をした者の人力に応じて、蓋体とヒンジとが衝突する不具合が生じる。このような衝撃は、展示ケースの故障を招くことはもとより、衝突により生じる衝撃や振動によって展示品の損壊を招くこととなる。
【先行技術文献】
【特許文献】
【０００８】
【特許文献１】特開２００１‐３４０１８１号公報
【特許文献２】特開２００６‐１１０２５０号公報
【発明の概要】
【発明が解決しようとする課題】
【０００９】
本発明の課題は、開閉動作を安全かつ円滑に行うことができる開閉装置、及び、展示ケースを提供することである。
【課題を解決するための手段】
【００１０】
上述した課題を解決するため、本発明に係る開閉装置は、スライド部と、アーム部と、第１弾性体と、第２弾性体とを含む。スライド部は、往復直線移動が可能である。前記アーム部は、一端が前記スライド部に取り付けられ、他端がスライド部の往復直線移動に応じて昇降する作用端となっている。第１弾性体と、第２弾性体とは、スライド部の往復直線移動でみた両側に配置されている。
【００１１】
本発明に係る開閉装置は、典型的には跳ね上げ式の蓋体を有する展示ケースなどに用いられる。具体的に、展示ケースは、ケース本体と、蓋体と、開閉装置とを含む。ケース本体は、展示面を有している。蓋体は、展示面を開閉可能に覆っている。開閉装置を構成するスライド部は、ケース本体に取り付けられており、アーム部は、作用端が蓋体に取り付けられ、スライド部の往復直線移動に応じて蓋体を開閉させる。
【００１２】
上述したように、本発明に係る開閉装置は、往復直線移動が可能であるスライド部と、アーム部とを含み、アーム部は、一端がスライド部に取り付けられ、他端がスライド部の往復直線移動に応じて立ち上がる作用端となっている。この構成によると、開閉装置を、例えば跳ね上げ式の蓋体を有する展示ケースなどに用いる場合、アーム部の作用端を蓋体に取り付けることにより、スライド部の往復直線移動に従ってアーム部を立ち上がらせ、蓋体を開閉させることができる。
【００１３】
また、本発明に係る開閉装置において、第１弾性体と、第２弾性体とは、スライド部の往復直線移動でみた両側に配置されている。この構成によると、第１弾性体は、往復直線移動の始点側に取り付けられているから、閉まった状態の蓋体に対し、第１弾性体の付勢力を加えることが可能となる。従って、蓋体の開き始めの位置において、開動作を円滑に行うことができる。
【００１４】
ところで、既に説明したように、従来の開閉装置では、蓋体が開き終わり位置まで移動したとき、開動作をした者の人力などに応じて、蓋体と、蓋体を固定するヒンジとが衝突する不具合が生じる。このような衝突は、展示ケースの故障を招くことはもとより、衝突により生じる衝撃や振動によって展示品の損壊を招くこととなる。
【００１５】
本発明に係る開閉装置は、上述した問題を解決するため、第２弾性体を含む点に特徴の一つがある。すなわち、第１弾性体と、第２弾性体とは、スライド部の往復直線移動でみた両側に配置されていることにより、開閉装置を構成する第２弾性体は、往復直線移動の終点側に取り付けられている。この構成によると、蓋体が開き終わり位置まで移動したときに生じる衝突を回避することができる。
【００１６】
また、第２弾性体が、往復直線移動の終点側に取り付けられている構造によると、蓋体の閉じ始めの位置において、スライド部には第２弾性体による付勢力が加えられるから、閉動作を円滑に行うことができる。
【００１７】
本発明に係る開閉装置は、好ましくはダンパ部を含む。ダンパ部は、ピストンロッドを有しており、スライド部は、移動方向の一方側にピストンロッドの移動端が取り付けられている。この構成によると、蓋体の荷重がダンパ部によって支えられるから、蓋体の開閉動作を円滑に行うことができる。
【００１８】
また、第１弾性体は、ピストンロッドに取り付けられているから、閉まった状態の蓋体に対し、第１弾性体の付勢力を加えることが可能となる。従って、蓋体の開き始めの位置において、開動作を安全かつ円滑に行うことができる。
【発明の効果】
【００１９】
以上述べたように、本発明によれば、次のような効果を得ることができる。
（１）開閉動作を安全かつ円滑に行うことができる開閉装置、及び、展示ケースを提供することができる。
【００２０】
本発明の他の目的、構成及び利点については、添付図面を参照し、更に詳しく説明する。添付図面は、単に、例示に過ぎない。
【図面の簡単な説明】
【００２１】
【図１】本発明の実施形態に係る開閉装置を用いた展示ケースの斜視図である。
【図２】図１の展示ケースの側面断面図である。
【図３】図２の展示ケースを構成する開閉機構を抜き出して示す拡大断面図である。
【図４】図３の開閉機構の平面図である。
【図５】図２の展示ケースの開状態を示す側面断面図である。
【図６】図５の展示ケースを構成する開閉機構を抜き出して示す拡大断面図である。
【図７】図６の開閉機構の平面図である。
【発明を実施するための形態】
【００２２】
図１乃至７において同一符号は、同一又は対応部分を示すものとする。また、図１乃至図７の説明において、展示ケースの縦方向と、スライド部５の移動方向とは、それぞれ一致するから、全て符号Ｌに統一して示す。
【００２３】
本発明は、いわゆる跳ね上げ式の蓋、又は、扉を開閉するための開閉装置であって、典型的には、美術館や博物館などで展示品を収容する展示ケースや、小売店などで商品を収納する展示ケースなどに用いられるものである。図１乃至図４の展示ケースは、ケース本体１と、蓋体２と、ヒンジ３１と、止め具３２と、開閉装置４を含む。
【００２４】
ケース本体１は、展示面１０を有している。すなわち、ケース本体１は、テーブル状であって、展示部１１、台部１２、及び、脚部１３とを有する。展示部１１は、平面でみて長方形形状であって、その板面が、展示品を載置するための展示面１０を構成している。
【００２５】
台部１２は、枠状であって、金属製パイプなどの中空材を用いて構成され、一対の短辺１４、１４と、一対の長辺１５、１５とを有している。一対の短辺１４、１４は、幅方向Ｗに間隔を隔てて向かい合い、且つ、幅方向Ｗに交差する縦方向Ｌに延びている。一対の長辺１５、１５は、縦方向Ｌに間隔を隔てて向かい合い、且つ、幅方向Ｗに延びている。短辺１４と、長辺１５とは、枠の隅部で一体的に連続しており、展示部１１は、台部１２の枠内に取り付けられている。
【００２６】
脚部１３は、台部１２と一体的に結合され、展示ケースの骨組みを構成するものである。すなわち、脚部１３は、金属製パイプなどの中空材を用いて構成され、台部１２の隅部から高さ方向Ｔに沿って垂下し、展示部１１と、台部１２とを支持する。
【００２７】
蓋体２は、展示面１０を、開閉可能に覆っている。より具体的に説明すると、蓋体２は、カバー部２０と、開口部２１と、縁部２２と、角度調節部２３を有している。カバー部２０は、箱状であって、透明なガラス材で構成され、天面と、天面の周縁から垂下する側面とによって画定される収容空間２４を有している。収容空間２４は、高さ方向Ｔでみて天面と向かい合う位置に設けられた開口部２１によって外部に通じている。
【００２８】
縁部２２は、蓋体２を閉じたとき、台部１２と重なるものであるから、台部１２に追従した形状を有している。すなわち、縁部２２は、金属製パイプなどの中空材を用いて構成される枠体であって、一対の短辺と、一対の長辺とを有し、開口部２１に沿って取り付けられている。
【００２９】
角度調節部２３は、縁部２２において、幅方向Ｗに向かい合う一対の短辺に取り付けられ、縦方向Ｌに延びている。角度調節部２３は、金属板で構成され、板面の面内に開口端を有する複数の貫通孔２５を備えている。複数の貫通孔２５は、縦方向Ｌに間隔を隔てて、断続的に配置されている。
【００３０】
ヒンジ３１は、ケース本体１と、蓋体２との間に設けられ、ケース本体１に対して蓋体２を開閉可能に固定している。図２及び図３のヒンジ３１は、一対の長辺１５、１５の一方に取り付けられており、蓋体２は、ヒンジ３１を支点として一対の長辺１５、１５の他方が、跳ね上げ回動される。他方、止め具３２は、ケース本体１と、蓋体２との間に設けられ、蓋体２を閉じた状態でケース本体１に固定する。止め具３２は、ヒンジ３１が取り付けられている長辺１５とは、反対側の長辺１５に取り付けられている。
【００３１】
上述した構成は、従来の展示ケースでも見られるところである。本願発明の特徴の一つは、ケース本体１に対して蓋体２を開閉可能に固定するための開閉装置４に工夫を加えた点にある。図２乃至図４の開閉装置４は、スライド部５と、アーム部６と、第１弾性体７１と、第２弾性体７２と、ダンパ部８と、ガイドロッド９とを含み、台部１２を構成する一対の短辺１４、１４の内部に取り付けられている。
【００３２】
スライド部５は、縦方向Ｌに沿って往復直線移動する。スライド部５は、金属板で構成された基体部５１において、往復直線移動の方向の両側に、一対の車輪５２が回転可能に螺着された構造を有している。
【００３３】
アーム部６は、一端がスライド部５に取り付けられ、他端がスライド部５の往復直線移動に応じて立ち上がる作用端６１となっている。アーム部６は、側面からみて、縦方向Ｌの中間部分で、くの字状に屈曲する金属片で構成され、屈曲部分を基準として短片側と、長片側とに分かれている。短片側は、高さ方向Ｔに垂下し、その一端部分が、基体部５１に、ボルトとナットによって回転可能に螺着されている。長片側は、縦方向Ｌに沿って延びており、他端（作用端６１）部分が、角度調節部２３に、ボルトとナットによって回転可能に螺着されている。角度調節部２３に対する長片の螺着位置、すなわちボルトが挿通されるべき貫通孔２５は、後述する蓋体２の跳ね上げ回動の回転角度に応じて適宜設定することができる。
【００３４】
アーム部６は、一端がスライド部５に取り付けられ、他端が角度調節部２３に取り付けられており、スライド部５の移動に従って高さ方向Ｔに立ち上げられることにより、蓋体２を開閉させる。すなわち、アーム部６は、作用端６１が角度調節部２３を介して蓋体２に取り付けられており、スライド部５の往復直線移動に応じて蓋体２を開閉させる。
【００３５】
ダンパ部８は、いわゆる伸縮式のシリンダーダンパであって、シリンダ８１と、シリンダ８１から縦方向Ｌに沿って出し入れされるピストンロッド８２とを有している。スライド部５は、移動方向Ｌの一方側にピストンロッド８２の移動端が取り付けられている。この構成により、アーム部６を介してスライド部５に伝えられる蓋体２の荷重を、ダンパ部８によって支持することができる。図２乃至図４からは必ずしも明らかではないが、ダンパ部８は、非圧縮性液体の流体抵抗を利用したオイル式（液体式）でもよいし、ガス式（気体式）でもよい。また、ダンパ部８には、単筒式のものも、複筒式のものも用いることができる。
【００３６】
ガイドロッド９は、スライド部５の移動方向Ｌの他方側に取り付けられ、ケース本体１の縦方向Ｌに沿って延びている。ガイドロッド９は、一端が基体部５１に取り付けられ、他端が自由端となっている。ガイドロッド９の他端側は、ガイド部９０に移動可能に挿通されている。スライド部５は、ピストンロッド８２の移動端に取り付けられ、ガイドロッド９に沿って往復直線移動する。すなわち、ガイドロッド９、及び、ガイド部９０は、スライド部５の往復直線移動を規制するものである。
【００３７】
第１弾性体７１と、第２弾性体７２とは、スライド部５の往復直線移動でみた両側に配置されている。第１弾性体７１は、往復直線移動の始点（Ｐ１）側に取り付けられている。第１弾性体７１は、いわゆる巻ばねであって、スライド部５の移動方向Ｌの一端側において、ピストンロッド８２に取り付けられている。第１弾性体７１は、スライド部５の一端と、シリンダ８１との間に配置され、スライド部５に対して、縦方向Ｌへの付勢力Ｆ１を加える。
【００３８】
第２弾性体７２は、往復直線移動の終点（Ｐ２）側に取り付けられている。第２弾性体７２は、いわゆる巻ばねであって、スライド部５の移動方向Ｌの他端側において、ガイドロッド９に取り付けられている。第２弾性体７２は、スライド部５の他端と、ガイド部９０との間に配置され、スライド部５に対して、第１弾性体７１の付勢方向とは反対方向への付勢力Ｆ２を加える。違う言葉で表現すれば、第１、第２弾性体７１、７２は、スライド部５の移動方向Ｌの両側に取り付けられ、スライド部５の移動範囲を規制するものである。
【００３９】
次に、図１乃至図７を参照して、展示ケースを構成する開閉装置４の開閉操作を説明する。まず、図１乃至図４に示すように、展示ケースの蓋体２が閉状態であるとき、ピストンロッド８２は、シリンダ８１内に収納された状態となっており、ピストンロッド８２の移動端に取り付けられているスライド部５は、往復直線移動の始点（Ｐ１）側に位置している。この閉状態であるとき、ピストンロッド８２に取り付けられている第１弾性体７１は、スライド部５によってシリンダ８１側に圧縮された状態となっており、その結果、スライド部５の移動方向Ｌに沿って、常時、付勢力Ｆ１を加えている状態となる。
【００４０】
次に、図１乃至図４の展示ケースの蓋体２が閉状態から、例えば、止め具３２を解錠すると、第１弾性体７１の付勢力Ｆ１に従って、スライド部５が縦方向Ｌに押し出されることにより、矢印Ｒで示す方向に、蓋体２が跳ね上げ回動され、縁部２２と、台部１２との間に、若干隙間が生じる。ケース操作者は、生じた隙間に例えば指などを挿し込み、縁部２２を持ち上げることにより、スライド部５が縦方向Ｌに直線移動し、スライド部５の移動に伴ってアーム部６が高さ方向Ｔに立ち上がり、アーム部６の作用端６１に結合された角度調節部２３が持ち上げられ、蓋体２が回転方向Ｒに跳ね上げ回動される。この蓋体２の跳ね上げ回動動作の始期には、第１弾性体７１の付勢力Ｆ１が作用しているから、蓋体２の開動作を容易に行うことができる。また、スライド部５は、ピストンロッド８２を介してダンパ部８に取り付けられており、アーム部６を介して伝えられる蓋体２の荷重がダンパ部８によって支持されているから、蓋体２の開動作を容易に行うことができる。
【００４１】
他方、図１乃至図４の閉状態から、スライド部５が縦方向Ｌの他端（Ｐ２）まで移動したとき、図５乃至図７に示す開状態となる。ここで、図５乃至図７に示す開状態となるとき、ガイドロッド９に取り付けられている第２弾性体７２が、スライド部５とガイド部９０との衝突を阻止する。第２弾性体７２は、スライド部５によってガイド部９０側に圧縮された状態となっており、その結果、スライド部５の移動方向Ｌとは逆方向に対して、常時、付勢力（Ｆ２）を加えている状態となるが、この付勢力Ｆ２はダンパ部８によって支えられている。
【００４２】
図５乃至図７に示す開状態から蓋体２を閉じるときには、上述した開動作の説明とは逆のプロセスによって閉じることができる。
【００４３】
ところで、既に説明したところではあるが、この種の展示ケースは、盗難や損壊、さらには温度変化や湿度変化から展示品を守るため、蓋体２を厚みのあるガラス材で構成し、収容空間２４を密閉することが行われる。このように蓋体２を厚みのあるガラス材で構成した場合、蓋体２が重量化する傾向にあり、その開動作を円滑に行えない不具合が生じる。
【００４４】
上述した不具合を解消するため、従来の展示ケースは、蓋２に対して常時上方へ付勢することが行われる。この構成によると、蓋体２が閉まった状態で止め具を解錠したとき、付勢装置の付勢に従って、蓋体２が上方へ持ち上げられるから、その開動作を円滑に行うことができる。
【００４５】
しかし、従来の付勢装置では、以下の点で新たな問題が生じる。すなわち、通常、この種の蓋体２は、ヒンジ３１の開放角度に応じた開き終わり位置を有しているところ、付勢装置は、蓋体２の開動作の始期（開き始め）を補助するための機構であって、同開動作の終期（開き終わり）には何ら配慮されていない。その結果、蓋体２が開き終わり位置まで移動したとき、付勢装置の付勢力、及び、開動作をした者の人力に応じて、蓋体２とヒンジ３１とが衝突する不具合が生じる。このような衝撃は、展示ケースの故障を招くことはもとより、展示品の損壊を招くこととなる。
【００４６】
これに対し、図１乃至図７を参照して説明した開閉装置４を用いることにより、上述した問題を全て解決しうる展示ケースを提供することができる。すなわち、本発明に係る開閉装置４は、第２弾性体７２を含む点に特徴の一つがある。第２弾性体７２は、往復直線移動の終点（Ｐ２）側に取り付けられているから、蓋体２が開き終わり位置まで移動したときに生じる衝突を回避することができる。
【００４７】
また、違う観点から説明すれば、第２弾性体７２は、往復直線移動の終点（Ｐ２）側に取り付けられている構造によると、蓋体２の閉じ始めの位置において、スライド部５には第２弾性体７２による付勢力が加えられるから、閉動作を円滑に行うことができる。
【００４８】
開閉装置４は、ダンパ部８を含む。ダンパ部８は、シリンダ８１から出し入れされるピストンロッド８２を有しており、スライド部５は、移動方向Ｌの一方側にピストンロッド８２の移動端が取り付けられている。この構成によると、開閉装置４を、例えば跳ね上げ式の蓋体２を有する展示ケースなどに用いる場合、蓋体２の荷重がダンパ部８によって支えられるから、蓋体２の開閉動作を円滑に行うことができる。
【００４９】
第１弾性体７１は、ピストンロッド８２に取り付けられているから、閉まった状態の蓋体２に第１弾性体７１の付勢力Ｆ１を加えることが可能となる。従って、蓋体２の開き始めの位置において、開動作を安全かつ円滑に行うことができる。
【００５０】
開閉装置４は、往復直線移動するスライド部５と、アーム部６とを含み、アーム部６は、一端がスライド部５に取り付けられ、他端が作用端６１となっている。この構成によると、開閉装置４を、例えば跳ね上げ式の蓋体２を有する展示ケースなどに用いる場合、アーム部６の作用端６１を蓋体２に取り付けることにより、蓋体２を開閉させることができる。
【００５１】
また、本発明に係る開閉装置４において、第１弾性体７１は往復直線移動の始点（Ｐ１）側に取り付けられているから、閉まった状態の蓋体２に第１弾性体７１の付勢力Ｆ１を加えることが可能となる。従って、蓋体２の開き始めの位置において、開動作を円滑に行うことができる。
【００５２】
以上、好ましい実施例を参照して本発明の内容を具体的に説明したが、本発明の基本的技術思想及び教示に基づいて、当業者であれば、種種の変形態様を採り得ることは自明である。
【符号の説明】
【００５３】
１          ケース本体
１０        展示面
２          蓋体
４          開閉装置
５          スライド部
６          アーム部
６１        作用端
７１        第１弾性体
７２        第２弾性体
８          ダンパ部
８２        ピストンロッド
９          ガイドロッド
Ｌ          展示ケースの縦方向、及び、スライド部の移動方向
Ｐ１        往復直線移動の始点
Ｐ２        往復直線移動の終点
【要約】
【課題】開閉動作を安全かつ円滑に行うことができる開閉装置を提供する。
【解決手段】開閉装置４は、スライド部５と、アーム部６と、第１弾性体７１と、第２弾性体７２とを含む。スライド部５は、往復直線移動が可能である。アーム部６は、一端がスライド部５に取り付けられ、他端がスライド部５の往復直線移動に応じて昇降する作用端６１となっている。第１弾性体７１と、第２弾性体７２とは、スライド部５の往復直線移動でみた両側に配置されている。本発明に係る展示ケースを構成するケース本体１は、展示面１０を有しており、蓋体２は、展示面１０を開閉可能に覆っている。開閉装置４を構成するスライド部５は、前記ケース本体１に取り付けられており、アーム部６は、作用端６１が蓋体２に取り付けられ、スライド部５の往復直線移動に応じて蓋体２を開閉させる、
【選択図】図２【図１】
0005420096.tif 000002
【図２】
0005420096.tif 000003
【図３】
0005420096.tif 000004
【図４】
0005420096.tif 000005
【図５】
0005420096.tif 000006
【図６】
0005420096.tif 000007
【図７】
0005420096.tif 000008